(57)【要約】 ピッカー組立体は、選択的に変更できる間隔をあけて配置される関係にある複数のピッカーと、同軸上にあると共に変更できる厚さを有する複数のカムプレートを有するシャフトと、前記ピッカーと係合すると共に前記ピッカー間の隙間間隔内に位置付けられる前記カムプレートとを有し、間隔を選択的に変更できることは、前記カムプレートの厚さ変動によってそれぞれのピッカーを前記シャフトに平行な軸に沿って移動するようにした前記シャフトの回転によって与えられる。
2013516066.tif 000002
【特許請求の範囲】
【請求項１】
選択的に変更できる間隔をあけて配置される関係にある複数のピッカーと、
同軸上にあると共に変更できる厚さを有する複数のカムプレートを有するシャフトと、
前記ピッカーと係合すると共に前記ピッカー間の隙間間隔内に位置付けられる前記カムプレートと、
を有するピッカー組立体であって、
間隔を選択的に変更できることは、前記カムプレートの厚さ変動によってそれぞれのピッカーを前記シャフトに平行な軸に沿って移動するようにした前記シャフトの回転によって与えられる、
ことを特徴とするピッカー組立体。
【請求項２】
前記カムプレートの厚さ変動は、前記カムプレートの周囲において連続的である、
ことを特徴とする請求項１に記載の組立体。
【請求項３】
前記厚さ変動は、段階的であり、段階的な厚さは、前記ピッカーの所定間隔の関数である、
ことを特徴とする請求項１に記載の組立体。
【請求項４】
前記カムプレートは、隣接するピッカーと係合するように配置され、前記カムプレートは、各カムプレートの厚さが各プレートの周囲の各位置において同じであるように前記シャフト上に配置される、
ことを特徴とする請求項１から請求項３の何れか１項に記載の組立体。
【請求項５】
前記ピッカーは、サーボモータ、ボールねじモータ又は空気あるいは液圧ピストンのうちの何れか１つの動作を通じて集積回路ユニットと係合するために往復運動において作動するように配置される、
ことを特徴とする請求項１から請求項４の何れか１項に記載の組立体。
【請求項６】
前記シャフトは、第１シャフトであり、複数のカムプレートが取り付けられた平行な第２シャフトをさらに含み、前記第１シャフトのカムプレートと前記第２シャフトのカムプレートとは、隣接するピッカーの交互の隙間間隔内に配置される、
ことを特徴とする請求項１から請求項５の何れか１項に記載の組立体。
【請求項７】
ピッカー組立体が該ピッカー組立体のピッカーの間隔を選択的に変更するための方法であって、
複数の同軸上にあるカムプレートを有するシャフトを回転するステップであって、前記カムが変更できる厚さを有し、前記カムプレートが前記ピッカーと係合するステップと、
前記カムプレートを用いて前記ピッカーを付勢するステップと、
を有し、その結果、
間隔を選択的に変更できることは、それぞれのピッカーの間隔を変更するために前記シャフトに平行な軸に沿ってそれぞれのピッカーを移動する前記シャフトの回転によって与えられる、
ことを特徴とする方法。
【請求項８】
ピッカー組立体であって、
複数のピッカー対であって、各ピッカーが中心線について対称に位置付けられ、前記対が、前記中心線に最も近い最も内側の対から前記中心線から最も遠い最も外側の対まで連続して配置される複数のピッカー対と、
複数のベルトであって、各ベルトが該ベルトに取り付けられた前記ピッカー対を有する複数のベルトと、
一対のプーリの周りのループに配置された前記各ベルトであって、前記ループの上部に一方のピッカーを備えると共に前記ループの下部に対応する他方のピッカーを備え、前記ベルトの移動が各対の対応するピッカーを分散又は収束するように配置された前記各ベルトと、
固定比率ギヤボックスと連通する各ベルトであって、前記ギヤボックスが共通のシャフトに取り付けられた各ベルトと、
を有し、
各ギヤボックスのギヤ比は、対応するピッカー対の位置の関数であり、前記比は、各対の対応するピッカー間の隙間間隔の数に対応する、
ことを特徴とするピッカー組立体。
【請求項９】
各ピッカーと連結された支持部材を含み、前記支持部材がレールと滑り係合し、前記支持部材は、前記ピッカーの移動が結果として前記それぞれのレールに沿って前記支持部材を移動するように配置される、
ことを特徴とする請求項８に記載のピッカー組立体。
【請求項１０】
３つのピッカー対が存在し、最も内側の対から最も外側の対へ前記対においてそれぞれのギヤ比が１：１，３：１及び５：１である、
ことを特徴とする請求項８又は請求項９に記載のピッカー組立体。
【請求項１１】
前記シャフトは、前記シャフトを回転させて前記ギヤボックスを作動するためのモータに連結されている、
ことを特徴とする請求項８から請求項１０の何れか１項に記載のピッカー組立体。
【請求項１２】
ピッカー組立体が該ピッカー組立体のピッカーの間隔を選択的に変更するための方法であって、
複数のピッカー対を準備するステップであって、各ピッカーが中心線について対称に位置付けられ、前記対が、前記中心線に最も近い最も内側の対から前記中心線から最も遠い最も外側の対まで連続して配置されるステップと、
複数のベルトを同時に移動するステップであって、各ベルトが該ベルトに取り付けられた前記ピッカー対を有するステップと、
前記ベルトを移動する結果として各対の対応するピッカーを分散又は収束するステップと、
結果として、前記ピッカーの間隔を選択的に変更するステップと、
を有していることを特徴とする方法。
【請求項１３】
単体化された集積回路ユニットと係合するピッカー組立体であって、
複数のユニットピッカー対であって、前記各ユニットピッカー対が集積回路ユニットとの係合のための係合端部を有する複数のユニットピッカー対と、
格納位置からユニット係合位置への移動を可能にするように移動可能に取り付けられた前記各ユニットピッカー対と、
反対側の端部に弓形部分を有する複数の曲線駆動部材であって、各駆動部材が前記各ユニットピッカー対に対応する複数の曲線駆動部材と、
前記駆動部材の弓形部分において前記駆動部材と接触するように配置された前記対応する前記各ユニットピッカー対と、
を有し、
水平軸の周りに回転可能である前記各駆動部材は、第１方向における前記駆動部材の回転が前記ユニットピッカーの一方を下方へ付勢し、第２方向における回転が他方のユニットピッカーを下方へ駆動するように前記反対側の端部を仲介する、
ことを特徴とするピッカー組立体。
【請求項１４】
前記ユニットピッカーは、該ユニットピッカーが前記駆動部材との弾性的接触を維持するように上方へ弾性的に付勢される、
ことを特徴とする請求項１３に記載のユニットピッカー組立体。
【請求項１５】
前記駆動部材は、前記駆動部材の反対側の端部の間において等距離に位置付けられている、
ことを特徴とする請求項１３又は請求項１４に記載のユニットピッカー組立体。
【請求項１６】
前記水平軸から前記反対側の端部までの距離は、隣接する駆動部材の隣接する水平軸の間の距離の半分より大きい、
ことを特徴とする請求項１５に記載のユニットピッカー組立体。
【請求項１７】
各駆動部材の少なくとも一部は、接触を引き起こすことなしに隣接する駆動部材の重なりを可能にするように形づくられている、
ことを特徴とする請求項１６に記載のユニットピッカー組立体。
【請求項１８】
前記駆動部材の回転時に、各ユニットピッカー対の１つが、複数の集積回路ユニットと同時に係合するために係合位置に移動される、
ことを特徴とする請求項１３から請求項１７の何れか１項に記載のユニットピッカー組立体。
【発明の詳細な説明】
【技術分野】
【０００１】
本発明は、集積回路ユニットの単体化（singulation）に関し、特に、個々のユニットと係合して移動させるために使用される組立体（assembly）に関する。さらにまた、本発明は、前記組立体の個々のピッカー（picker）の間隔を調整するピッカー組立体の適応性に関する。
【背景技術】
【０００２】
基板及び個々の集積回路ユニットを処理するための機械を設計するとき、無駄を最小限にし、１時間当たりの生産数（ＵＰＨ）を維持し、機械設備を改めるための休止時間を制限するなどの主要な要因は全て、主要な設計決定要素である。
【０００３】
前記機械の適応性を考慮すると、機械が適用範囲において有用であるためには、前記機械が集積回路ユニット間の異なる間隔を有する基板に適応させる必要がある。前記機械は、各適用において機械設備を改めることができる一方、前記機械が比較的簡単に前記間隔に適用させるように構成することができるならばより効率的である。特に、単体化された集積回路ユニットをステーション間で移動させるために使用されるピッカー組立体は、前記ユニットと集合的に係合するために前記ユニットの間隔に依存する。従って、ピッカー組立体のピッカーの間隔を異なる集積回路ユニットの間隔を有する基板に適用させるように調整することができるならば有用である。
【０００４】
この機能を実現するために幾つかのシステムが試みられた。例えば、１つのシステムは、組立体の各ピッカーを結合するためにねじ付きロッドを使用する。この場合、ねじは、各ピッカーの位置に一致するために個別位置にある。さらに、各ピッカー対のためのねじは、ねじ付きロッドの回転が内側のピッカーよりさらに外側のピッカーを移動するように、位置に基づいて変更する中心線の周りに対称に配置される。従って、ねじの各部分のピッチは、中心線からの距離に基づいて変更し、さらに前方のねじである一方の側にあるねじと中心線の対応する他方の側にある後方のねじとを用いて変更する。
【発明の概要】
【発明が解決しようとする課題】
【０００５】
これは、簡単且つ直接的な解決法である一方、そのようなロッドの製造は、極めて多大な時間を必要とし、従って極めて高価となり得る。１つのねじ部分にあるグリットなどのあらゆる破片は、ねじへの損傷を引き起こし、それによってロッド全体を交換する必要があり得る。ピッカー組立体が動作する環境を考慮すると、切断プロセスから物質が機械内に捕らえられ得る。結果として、ねじ付きロッドの交換に基づくそのようなピッカー組立体の生涯コストはかなりになり得る。
【０００６】
ピッカーの間隔を変更するためのシステムが、動作が簡単でまた比較的安価である両方であるならば有益である。
【０００７】
集積回路、特にメモリのための利益幅を減少させるという別の考慮によれば、プロセスコストを縮小する圧力は重要であり、従って品質を維持しながら生産を加速する必要がある。従って、これらのプロセスを実現する基盤設備のコストは、速度と品質を維持しながらコストを縮小する圧力から等しく苦しむこととなる。
【０００８】
基板に含まれる多量の集積回路チップを考えると、潜在的障害は、種々のシステムが集積回路ユニットを単体化するとすぐにステーションからステーションに移動する能力である。これを実現するために、例えば、国際出願番号ＰＣＴ／ＳＧ２００５／０００２８８号に開示された別のシステムが開発され、その内容は参照することにより本明細書に取り入れられる。ユニットピッカー（unit picker）が個々の集積回路ユニットと係合するために、ユニットピッカー組立体は、特定の方法で種々のユニットと係合するように設計された複雑な配置を含む。効率的且つ効果的の両方である一方、そのような設備のコスト及びメンテナンスは特別に高くなり得る。
【０００９】
さらに、そのようなシステムは、ある程度の摩擦、及びバックラッシュが起こる可能性を引き起こすことが知られている。
【００１０】
従って、低い資本コストをもたらし得る態様を組み込むユニットピッカー組立体を採用することが有益である。
【課題を解決するための手段】
【００１１】
第１の態様では、本発明は、選択的に変更できる間隔をあけて配置される関係にある複数のピッカーと、同軸上にあると共に変更できる厚さを有する複数のカムプレートを有するシャフトと、前記ピッカーと係合すると共に前記ピッカー間の隙間間隔内に位置付けられる前記カムプレートとを有するピッカー組立体であって、間隔を選択的に変更できることは、前記カムプレートの厚さ変動によってそれぞれのピッカーを前記シャフトに平行な軸に沿って移動するようにした前記シャフトの回転によって与えられる、ピッカー組立体を提供する。
【００１２】
第２の態様では、本発明は、ピッカー組立体が該ピッカー組立体のピッカーの間隔を選択的に変更するための方法であって、複数の同軸上にあるカムプレートを有するシャフトを回転するステップであって、前記カムが変更できる厚さを有し、前記カムプレートが前記ピッカーと係合するステップと、前記カムプレートを用いて前記ピッカーを付勢するステップと、を有し、その結果、間隔を選択的に変更できることは、それぞれのピッカーの間隔を変更するために前記シャフトに平行な軸に沿ってそれぞれのピッカーを移動する前記シャフトの回転によって与えられる、方法を提供する。
【００１３】
カムプレートの使用は、特に複数のカムプレートが同一であり得る一実施形態では、ねじ付きロッドを作るものより大幅に費用がかからず、従って多量製造に利用できる。
【００１４】
さらに、シャフト及びカムプレートは単一部品として作ることができ、あるいはカムプレートはシャフトに溶接あるいは固定することができ、従って製造が比較的容易である。
【００１５】
シャフトに固定される別個の部材としてカムプレートを有することの利点はまた、損傷したカムプレートを取り外して、シャフト全体を交換する必要なしに別の損傷していないカムプレートによって交換することができることである。
【００１６】
一実施形態では、ピッカーとカムプレートとの間の係合は、隙間間隔を縮小するときにピッカーがカムプレートとの接触を維持するために付勢されるように弾性係合であり得る。更なる実施形態では、カムプレートとピッカーとの間の係合は、ピッカーとカムプレートとを通じた共通シャフトなど、ピッカーとの固定係合を維持しながら回転を可能にするために周囲にスロットを有するカムプレートを用いた固定接触であり得る。
【００１７】
第３の態様では、本発明は、ピッカー組立体であって、複数のピッカー対であって、各ピッカーが中心線について対称に位置付けられ、前記対が、前記中心線に最も近い最も内側の対から前記中心線から最も遠い最も外側の対まで連続して配置される複数のピッカー対と、複数のベルトであって、各ベルトが該ベルトに取り付けられた前記ピッカー対を有する複数のベルトと、一対のプーリの周りのループ（loop）に配置された前記各ベルトであって、前記ループの上部に一方のピッカーを備えると共に前記ループの下部に対応する他方のピッカーを備え、前記ベルトの移動が各対の対応するピッカーを分散又は収束するように配置された前記各ベルトと、固定比率ギヤボックスと連通する各ベルトであって、前記ギヤボックスが共通のシャフトに取り付けられた各ベルトと、を有し、各ギヤボックスのギヤ比は、対応するピッカー対の位置の関数であり、前記比は、各対の対応するピッカー間の隙間間隔の数に対応する、ピッカー組立体を提供する。
【００１８】
第４の態様では、本発明は、ピッカー組立体が該ピッカー組立体のピッカーの間隔を選択的に変更するための方法であって、複数のピッカー対を準備するステップであって、各ピッカーが中心線について対称に位置付けられ、前記対が、前記中心線に最も近い最も内側の対から前記中心線から最も遠い最も外側の対まで連続して配置されるステップと、複数のベルトを同時に移動するステップであって、各ベルトが該ベルトに取り付けられた前記ピッカー対を有するステップと、前記ベルトを移動する結果として各対の対応するピッカーを分散又は収束するステップと、結果として、前記ピッカーの間隔を選択的に変更するステップとを有している、方法を提供する。
【００１９】
本発明のこの態様では、個々の構成要素は、専用構成要素であり得る、あるいは作って組み立てることが比較的簡単であり得る。タイミングベルトを駆動するギヤ配置はまた、専用部材であり得る。ギヤ配置はまた、システム全体に影響を与えることなしに修理又は交換することが比較的容易であり得る。
【００２０】
第５の態様では、本発明は、単体化された集積回路ユニットと係合するピッカー組立体であって、複数のユニットピッカー対であって、前記各ユニットピッカー対が集積回路ユニットとの係合のための係合端部を有する複数のユニットピッカー対と、格納位置（retracted position）からユニット係合位置への移動を可能にするように移動可能に取り付けられた前記各ユニットピッカー対と、反対側の端部に弓形部分を有する複数の曲線駆動部材であって、各駆動部材が前記各ユニットピッカー対に対応する複数の曲線駆動部材と、前記駆動部材の弓形部分において前記駆動部材と接触するように配置された前記対応する前記各ユニットピッカー対とを有し、水平軸の周りに回転可能である前記各駆動部材は、第１方向における前記駆動部材の回転が前記ユニットピッカーの一方を下方へ付勢し、第２方向における回転が他方のユニットピッカーを上方へ駆動するように前記反対側の端部を仲介する（intermediate）、ピッカー組立体を提供する。
【００２１】
従って、ラック及びピニオンの組立体に比べて、摩擦を少なくすることができ、比較的容易にメンテナンスすることができる。さらに、弓形部分の使用、接触前の減速の割合、及びユニットと係合するときの加速は、さらに大きく制御することができる。このため、ユニットへの損傷、組立体における疲労荷重、及び係合した集積回路ユニットを移す又は除去する加速の衝撃の低減した機会を与える可能性が少なくなり得る。
【００２２】
更なる実施形態では、各隣接ピッカーは、カムによって分離され得る。カムは、プーリ配置によって回転されるシャフトに取り付けられ得る。ピッカー組立体はさらに、リニア軸受を介してレールに取り付けることができ、該リニア軸受は、カムが取り付けられるシャフトの回転を受ける場合にカムの分離力を受けるときのピッカーの滑り運動を容易にする。この場合、ピッカー組立体は、カムの動作を通じて、実施形態ではピッカーピッチのあらゆる有用な範囲を付与するために変更することができるけれども最小の５ｍｍ若しくはそれ以下からであり得るピッカーピッチの選択を可能にする。
【００２３】
ピッカーは、個々の集積回路ユニットと係合する及び解放するようにピッカーの往復運動を作動させるために個々のサーボモータによって動作することができる。
【００２４】
更なる実施形態では、個々のカムは、一方のシャフトが他方のシャフトより上に配置された２つのシャフトの間に分配され得る。上のシャフトにある個々のカムはピッカーの間の交互の隙間間隔内に配置され、下のシャフトにあるカムは別の隙間間隔内に配置され得る。
【００２５】
シャフトは、モータによってベルト駆動され得る対応するプーリに取り付けられ得る。従って、ツインシャフト配置は、前述した実施形態のものと同じ結果を実現し得る。それはまた、カムの交互配置のために追加の隙間を可能にする更なる利点を有し得る。すなわち、互いからオフセットした各隣接カムを有することによって、全てのカムの累積的厚さが回避される。
【００２６】
これは、１０個のピッカー若しくはそれ以上のピッカーの使用を許容することができ、また、例えば５ｍｍから１０ｍｍの小さい最小ピッチ範囲を可能にすることができる。この実施形態は、基板内の集積回路ユニット間の非常に細かい精度、すなわちより小さい隙間が要求される用途に適合することができる。
【００２７】
更なる実施形態では、ボールねじモータがピッカーの往復運動のために使用され得る。当然のことながら、ボールねじモータによって付与される増加した精度を考慮すると、ボールねじモータは、高精度の実施形態において有用であり得る。
【００２８】
更なる実施形態では、ピッカーの往復運動を作動するために空気又は液圧（hydraulic）ピストンを使用することができ、それによって、各ピッカーの配置を簡素化することができる。空気又は液圧ピストンを付与するとき、ピッカーは、簡単なピストン配置と、必要である空気又は液圧流体を受け入れるための入口とを有し得る。この配置は、サーボモータ又はボールねじモータを使用する配置よりもかさばらない。そのような配置のコストはまた少なくすることができ、個々のカム設計は、±０．０１ｍｍという大きい一般的な機械加工公差に比べると、公差±０．００２ｍｍまでなど、より高い精度まで個々に機械加工されるという更なる利点を付与することができる。
【００２９】
±０．００２ｍｍの累積カム公差の差を補償するように各個々のカムの公差を調整又は制御する場合、累積ピッチ誤差を除去することができる。
【００３０】
この方法は、最終視覚検査後に処理トレー、チューブ（tube）上の集積回路ユニットの配置においてかなりの精度を引き起こし得る。個々のカムはまた、タングステンカーバイド、セラミック又はサファイアのようなより耐久性のある材料から、材料の一部を単体化（single）する危険性が低減されるようにより経済的に機械加工され得る。
【００３１】
個々のカム設計はまた、大きく且つロッド上の各カムの外形を形成するために固体ロッド鋼材から機械加工するために高価である（時間がかかる）と共に、製造するのに不十分でない技術的リスクを示す回転カムロッド設計に比べて、交換コストに関してコストの優位性を有し得る。
【００３２】
カム駆動調整の使用によって、ピッカーピッチ調整のより高い精度のために１×１ｍｍ以下のパッケージサイズの取扱いを可能にすることができる。さらに、個々のカム駆動調整は、特に２つのシャフトの配置に沿うカムの交互の位置決めのために、累積的公差を最小にする又は除去することができる。
【００３３】
さらに、ベルト駆動調整と比べると、カムの使用は、ベルト駆動調整によって生じる可能性のあるずれ及び／又はクリープの影響に比べて、カムの機械加工公差に等しい公差を許容することができる。
【００３４】
注目すべきことに、本発明の実施形態は、ルビコン（Rubicon）（登録商標）ピッカーシステムの名の下で２０１１年に出願人によって発売されたシステムに組み込むことができる。
【００３５】
本発明の可能な配置を示す添付図面に関して本発明を更に説明することは便利である。本発明の別の配置が可能であり、結果として、添付図面についての詳細は、本発明の一般的な前記の記載に取って代わるものとして理解されるべきではない。
【図面の簡単な説明】
【００３６】
【図１Ａ】本発明の一実施形態に係るピッカー組立体の正面図である。
【図１Ｂ】本発明の一実施形態に係るピッカー組立体の正面図である。
【図２Ａ】本発明の更なる実施形態に係るピッカー組立体の別の図である。
【図２Ｂ】本発明の更なる実施形態に係るピッカー組立体の別の図である。
【図３Ａ】本発明の第２の態様に係るピッカー組立体の別の図である。
【図３Ｂ】本発明の第２の態様に係るピッカー組立体の別の図である。
【図４Ａ】本発明の第３の態様に係るピッカー組立体の別の図である。
【図４Ｂ】本発明の第３の態様に係るピッカー組立体の別の図である。
【図５Ａ】同時係合を行う図４Ａのピッカー組立体の連続的な正面図である。
【図５Ｂ】同時係合を行う図４Ａのピッカー組立体の連続的な正面図である。
【図５Ｃ】同時係合を行う図４Ａのピッカー組立体の連続的な正面図である。
【図６Ａ】個別係合を行う図４Ａのピッカー組立体の連続的な正面図である。
【図６Ｂ】個別係合を行う図４Ａのピッカー組立体の連続的な正面図である。
【図６Ｃ】個別係合を行う図４Ａのピッカー組立体の連続的な正面図である。
【図６Ｄ】個別係合を行う図４Ａのピッカー組立体の連続的な正面図である。
【発明を実施するための形態】
【００３７】
図１Ａ及び図１Ｂは、ピッカー組立体２を示し、特にシャフト４に取り付けられた複数のカムプレート６を有するシャフト４を示す。具体的には、図１Ａは、最小間隔１１を有するピッカー組立体２を示し、図１Ｂは、最大間隔４１を有するピッカー組立体２を示す。
【００３８】
この実施形態では、８個のピッカー２０に適応するために７個のカムプレートが存在する。カムプレート６は、隣接ピッカー２０、２２の間の隙間間隔内に配置され、この実施形態では、両方の隣接ピッカー２０、２２の従動部（follower）１６、１８と係合する。シャフト４が回転するとき、カムプレート６もまた、共通軸１４の周りに回転する。カムプレートは、最小厚さ１２から最大厚さ１０まで変更できる厚さを有する。その結果、プーリ３２によるシャフト４の３０で示す方向への回転時に、カムプレートは回転２８で示す方向に回転し、カムプレート及びシャフトの回転軸１４に平行な軸に沿って所定距離ピッカーを２６で示す方向に移動し、それによってピッカー２０、２２の間隔１１を変更する。
【００３９】
この実施形態では、カムプレート６は、各カムプレートの厚さが周囲のいずれの位置においても同一となるように各カムプレートが一貫して位置調整された状態で中央のカムプレート８について対称に間隔をあけて配置される。従って、シャフトが回転し、その結果カムプレートが回転するとき、端部にあるカムプレート６は、中央のカムプレート８の周りに対称な全てのカムプレートの累積的影響を利用できる。
【００４０】
図１Ｂは、カムプレートの回転２８の結果として最大間隔４１への拡張の結果を示す。シャフト６の回転３６の結果としてのこの回転の逆転３８は、最大厚さ１０から最小厚さ１２へカムを４２で示す方向に移動させる。ピッカー２０、２２の間隔は、内方へ指向される「間隔を最小にする力」４０を適用するように位置付けられたスプリング３４によって適用される付勢力を通じて図１Ａにおいて示す位置付けに戻される。
【００４１】
図２Ａ及び図２Ｂは、ピッカー組立体４４の更なる実施形態を示し、カムプレートは、ピッカー２０、２２の最大間隔と最小間隔との間のより少ない変化を示すより小さい角度を有する形状からなる。図２Ｂはさらに、図１Ａ及び図１Ｂのピッカー組立体２に等しく適用可能であり得るモータ配置を示す。
【００４２】
この実施形態では、シャフト４は、ベルト駆動５０、５２、３２を通じてシャフトに固定されたステッピングモータ又は同期モータなどのモータ４８を介して回転される。当然のことながら、シャフトに取り付けられた直接駆動モータがまた有用であり、シャフトを駆動する特定の方法は本発明において重要であるものではない。
【００４３】
図３Ａ及び図３Ｂは、本発明の更なる態様に従ったピッカー組立体５３を示す。ここでは、ピッカー６０、６２、６４、６６、６８、７０は、対になってタイミングベルト５４、５６、５８に取り付けられている。ピッカーはさらに、支持部材７２、７４、７６、７８、８０、８２、８４を通じてタイミングベルトに取り付けられている。支持シャフトは次に、レール８４、８６、８６、８８に取り付けられている。
【００４４】
タイミングベルト５４、５６、５８は、各タイミングベルト５４、５６、５８と関連付けられたギヤ９０、９２、９４を備えたシャフト９６から駆動される。各ギヤは、シャフト９６に取り付けられ、その結果、シャフト９６の回転は、ギヤ９０、９２、９４の同時駆動を引き起こし、ギヤ９０、９２、９４の駆動は次に、タイミングベルト５４、５６、５８を同時に駆動させる。
【００４５】
各タイミングベルトは、一対のピッカーと関連付けられている。例えば、第１のタイミングベルト５４は、ピッカー配列の極端部に位置付けられた最も外側のピッカー対６０、７０と関連付けられている。第２のベルト５６は、中間のピッカー６２、６８と関連付けられ、第３のベルト５８は、最も内側のピッカー６４、６６と関連付けられている。対のそれぞれの部材は、中心線１００について対称に位置付けられていることに注目すべきである。各ギヤ９０、９２、９４の歯車は、対応するピッカー対の位置に依存する。例えば、最も外側のピッカー６０、７０は、５：１の比を有するギヤ配置９０を有する。同様に、第２のタイミングベルト５６は、３：１の比を有するギヤ９２を有し、最も内側の対は、１：１のギヤ比を有するギヤを有する。
【００４６】
当然のことながら、ギヤ９０、９２、９４の同時作動を伴ってシャフト９６が回転するとき、ギヤ比が高くなればなるほどタイミングベルトの速度が高くなり、その結果、関連するピッカーがさらに移動する。従って、各タイミングベルトが同時に移動するとき、ギヤ９０、９２、９４の歯車は、隣接ピッカー間の間隔が一定のままであることを確保する。
【００４７】
当然のことながら、図３Ａ及び図３Ｂに示される組立体５３は、６個のピッカーのためのものであるが、使用されるピッカーの数は、これに適応するために必然の歯車を含む更なるピッカー対を用い、大幅に変更することができる。例えば、８個のピッカー配置においては、ピッカー配列の極端部に配置された追加の対を備え、７：１のギヤ比を有する第４のタイミングベルトが必要とされる。
【００４８】
図４Ａ及び図４Ｂは、本発明の更なる態様に従ったピッカー組立体を示す。ピッカー組立体１２２は、連結ブロック１３５によって連結された平行なアクチュエータ及び係合シャフト１２０、１３０を有するユニットピッカー配列１２１を有する。ユニットピッカー１２１は、垂直運動を可能にすると共にフレーム１１５に取り付けられるブロック１０６に配置される。ユニットピッカー配列１２１は、アクチュエータシャフト１３０の上部に位置付けられた接触部分を含む。この場合、回転アーム１５０などの駆動部材と接触するように配置された従動部１４０が、アクチュエータシャフト１３０の上部に位置付けられている。この実施形態では、回転アームは、回転アームに接触したままである従動部を備えた「カム式」配置において作動するように意図されている。回転アームは、該アームが回転するにつれて段階的降下速度を付与するように形づくられている。当然のことながら、アームが真っ直ぐである場合にはアームの一定回転時、ピッカーは一定速度を有する。極端部に湾曲（curvature）を有する回転アームを形づくることによって、ピッカーは、集積回路ユニットとの接触点に近付くにつれて減速し、集積回路ユニットとの接触点から引き戻されるときに加速する。このようにして、前記ユニットにおいて過度の加速を回避することができ、またアームの回転の一定速度から終端への「即時の」減速及び加速の衝撃に起因するピッカー及び機構における疲労効果を最小にすることができる。
【００４９】
図４Ａから図４Ｃの実施形態ではユニットピッカーに対するモータの割合を少なくするという本発明の原理に従って、その割合は、８個のピッカーに対して４個のモータである。第２実施形態では、駆動機構とアクチュエータの組立体は、取り除かれてアクチュエータ配列１５１によって置き換えられる。この場合、８個のピッカーにおいて、２個のピッカーごとに１個のモータを有する配列１５１に４個のモータが存在する。各モータは、ユニットピッカー１２１に対応する回転アーム１５０の各端部を用いて回転アーム１５０と関連付けられる。
【００５０】
この実施形態に係るユニットピッカー組立体１２２は、一度に４個の単体化されたユニットを持ち上げるように配置され、従って、各モータは、１つのユニットピッカーを１つのユニットと同時に係合するように向けることを含む。図５Ａ、図５Ｂ及び図５Ｃは、この実施形態の動作方法を示す。図５Ｂでは、各モータは、回転アーム１５０を反時計回り方向１６５に回転するように作動する。各ピッカーの従動部１４０と接触している回転アームは、スプリング１３０によって上方へ付勢される回転アームに追随する。従って、反時計回り方向１６５に回転することによって、左側のユニットピッカーは、下方１７０へ押され、右側のピッカーは、スプリング１３０の作用下で上方１７５へ移動することが可能となる。下方への作用において、ピッカーは、単体化されたユニットと一致するようにもたらされ、従ってユニットと同時に係合することができる。当然のことながら、この実施形態においては、単体化されたユニットは、この同時係合を可能にするために個々のユニットピッカー間の隙間間隔と同様の間隔を有する。
【００５１】
図５Ｃは、右側のピッカーを下方へ押し下げて左側のピッカーをスプリングによって上方へ付勢させるために回転アーム１５０が時計回り方向１８０に回転される次の段階を示す。従って、次の４個のユニットが移動の準備を行うことができる。
【００５２】
前記ユニット配置の正確な性質は、例えば、前記ユニットをチェッカー盤配置に配置する場合には変更することができ、第２の４個のユニットと係合するために、ユニット組立体１２２は、第２の４個のピッカーを第２の４個のユニットと一致させるために位置を変える必要があり得る。前記ユニットと係合する配置は本発明の一部を形成するものではなく、ユニットピッカー組立体１２２は、広範囲に及ぶユニット配置に適用することができる。
【００５３】
ユニットピッカー間の隙間１５５が重要であるこの実施形態では、隣接回転アームは、
アームの回転が互いに干渉しないように隣接アーム間の重複部分１６０Ａ、Ｂを許容するように形づくられている（profiled）。従って、図４Ａ及び図４Ｂに示すように、隣接アームは、アームを実際に互いに接触することなく互いに比較的近くに配置することができる。
【００５４】
図５Ａ、図５Ｂ及び図５Ｃに示されるユニットピッカー組立体は、４個の集積回路ユニットが同時に係合する一実施形態を示す。この動作では、全ての隣接モータの回転アームは、１グループとして同時にユニットピッカーを上げ下げするように作動する。図６Ａ、図６Ｂ、図６Ｃ及び図６Ｄは、本発明の更なる実施形態に従って動作する同じ装置を示す。ここでは、モータは、個々のユニットピッカー対を別々に作動させるために個々に作動する。このモードでは、１グループと同時に係合するよりも個々の集積回路ユニットと係合する。
【００５５】
図６Ｂは、第１ユニットピッカー１７２をただ１つの集積回路ユニットと係合するために１６２で示す方向に下げるように第１モータが１６１で示す方向に回転する第１ステップを示す。それに応じて、第２ユニットピッカー１７３は、組立体に位置付けられたスプリングからの付勢効果に起因して１６３で示す方向に上がる。
【００５６】
図６Ｃは、第２ユニットピッカー１７３を集積回路ユニットと係合するために１６７で示す方向に下げるように、回転アーム１５０が、１６４で示す方向に時計回りに回転し、それに応じて第１ユニットピッカー１７２を１６６で示す方向に上げる第２ステップを示す。
【００５７】
集積回路ユニットを第１及び第２ピッカー１７２、１７３の両方と係合させると、第１モータは、ユニットピッカーが水平である平衡位置に戻り、第２モータが動作し始める。図６Ｄは、第１ユニットピッカーにおいて図６Ｂで示すものと同様の方法で第３ユニットピッカー１７４を下げるための回転１６８を示す。従って、ユニットピッカー配列１５１は、個々の集積回路ユニットを持ち上げるために個々に係合する。従って、図６Ａから図６Ｄの実施形態は、図５Ａから図５Ｃに示される同時配置に比べてユニットピッカーの個々の動作を示す。当然のことながら、この実施形態に従った配置を備えた個々の動作から同時動作までのあらゆる組み合わせが可能である。
【図１Ａ】
2013516066.tif 000003
【図１Ｂ】
2013516066.tif 000004
【図２Ａ】
2013516066.tif 000005
【図２Ｂ】
2013516066.tif 000006
【図３Ａ】
2013516066.tif 000007
【図３Ｂ】
2013516066.tif 000008
【図４Ａ】
2013516066.tif 000009
【図４Ｂ】
2013516066.tif 000010
【図５Ａ】
2013516066.tif 000011
【図５Ｂ】
2013516066.tif 000012
【図５Ｃ】
2013516066.tif 000013
【図６Ａ】
2013516066.tif 000014
【図６Ｂ】
2013516066.tif 000015
【図６Ｃ】
2013516066.tif 000016
【図６Ｄ】
2013516066.tif 000017
【国際調査報告】
2013516066.tif 000018
2013516066.tif 000019